(57)【要約】【課題】クラウド型のコンピュータネットワークを利用して結婚式に特化した期間限定のセキュリティの高いウェディングコミュニティサービスを提供すること。【解決手段】クラウドサーバ１００、主催者端末３００、運営事務局端末４００、招待者端末５００及び式場運営者端末６００が通信ネットワーク２００を介して接続され、サーバ１００に内設されるコミュニティ領域１６２にて招待者端末５００がリード／ライト処理可能とし、式場運営者端末６００は情報発信可能とし、主催者端末３００及び運営事務局端末４００は当該領域１６２を制御可能とし、所定期間経過後は当該領域１６２へのアクセスを遮断するとともに当該領域１６２にライト処理されたデータを削除するよう構成した。【選択図】  図１
2015141637.tif 000002
【特許請求の範囲】
【請求項１】
ウェブブラウザ機能を有し通信ネットワークを介して各種情報を送受信する第一の端末機器と、
システムの稼動状況及び各種制御処理・管理を行う運用管理手段と、この運用管理手段の管理下で上記第一の端末機器から送出されてくる申込み情報を受信し申込み処理を行う申込み処理手段と、この申込み処理手段の申込み情報に基づいて上記第一の端末機器からの申込み処理の確定可否を判断する申込み確定判断手段と、この申込み確定判断手段の申込み確定判断に基づいてプロフィール情報等の入力要求情報を上記第一の端末機器に送出し当該端末機器からのプロフィール情報等を公開情報として格納及び管理する公開情報管理手段と、この公開情報管理手段に格納された公開情報を内設するコミュニティ領域にて上記通信ネットワークを介して公開するとともに管理するコミュニティ管理手段と、上記通信ネットワークを介してアクセスしてくる端末機器の属性を判断する端末機器属性判断手段とを備えたクラウド型サーバと、
このクラウド型サーバに上記通信ネットワークを介してアクセスし所定の情報の送受信が可能であり且つ当該サーバを制御管理可能なウェブブラウザ機能を有する第二の端末機器と、
ウェブブラウザ機能を有し、上記クラウド型サーバに上記通信ネットワークを介してアクセスし上記コミュニティ管理手段により公開されたコミュニティ領域に対しリード／ライト可能な第三の端末機器と、
ウェブブラウザ機能を有し、上記クラウド型サーバに上記通信ネットワークを介してアクセスし所定の情報の送受信が可能であり、且つ上記第一の端末機器及び上記第三の端末機器に対して情報発信可能な第四の端末機器とを具備するクラウド型ウェディングコミュニティサービス提供システムであって、
上記第一の端末機器は上記第三の端末機器により上記コミュニティ領域にライトされた情報を管理する管理手段を有し、
上記第二の端末機器は上記第三の端末機器により上記コミュニティ領域にライトされた情報を管理する管理手段を有し、上記第一の端末機器及び上記第三の端末機器に対して情報のやり取りが可能であり、
上記クラウド型サーバの端末機器属性判断手段は、上記第一の端末機器、上記第二の端末機器、上記第三の端末機器及び上記第四の端末機器以外からのアクセスを拒否可能とするよう機能し、
上記クラウド型サーバの上記申込み確定判断手段が申込み確定判断を行うと、上記コミュニティ領域の利用を含めたウェディング招待に関する通知を作成して上記第三の端末機器側に対してウェディング招待通知を発信するウェディング招待通知管理手段と、
このウェディング招待通知管理手段からの通知に基づいて上記第三の端末機器同士が上記コミュニティ領域にて情報のやり取りが可能となるよう制御管理する制御管理手段と、
所定期間経過後は上記第一の端末機器、上記第三の端末機器及び上記第四の端末機器による上記コミュニティ領域へのアクセスを遮断するとともに当該コミュニティ領域にて公開された上記プロフィール情報等を削除するサービス終了手段とを設けたことを特徴とするウェディングコミュニティサービス提供システム。
【請求項２】
ウェブブラウザ機能を有し、上記クラウド型サーバに上記通信ネットワークを介してアクセスし所定の情報の送受信が可能であり、且つ上記第一の端末機器及び上記第三の端末機器に対して情報発信可能な第五の端末機器を具備することを特徴とする請求項１記載のウェディングコミュニティサービス提供システム。
【請求項３】
上記クラウド型サーバの運用管理手段は、上記第一の端末機器及び上記第二の端末機器以外の端末機器からのアクセスがあった場合、当該端末機器が有するウェブブラウザを識別して、当該サーバへのアクセスを拒否可能とする機能を有することを特徴とする請求項１または請求項２記載のウェディングコミュニティサービス提供システム。
【請求項４】
上記サービス終了手段による上記プロフィール情報等の削除処理前に、当該プロフィール情報等を上記第一の端末機器側へ送出する手段を設けたことを特徴とする請求項１、請求項２または請求項３記載のウェディングコミュニティサービス提供システム。
【請求項５】
ウェブブラウザ機能を有し通信ネットワークを介して各種情報を送受信する第一の端末機器と、
システムの稼動状況及び各種制御処理・管理を行う運用管理手段と、この運用管理手段の管理下で上記第一の端末機器から送出されてくる申込み情報を受信し申込み処理を行う申込み処理手段と、この申込み処理手段の申込み情報に基づいて上記第一の端末機器からの申込み処理の確定可否を判断する申込み確定判断手段と、この申込み確定判断手段の申込み確定判断に基づいてプロフィール情報等の入力要求情報を上記第一の端末機器に送出し当該端末機器からのプロフィール情報等を公開情報として格納及び管理する公開情報管理手段と、この公開情報管理手段に格納された公開情報を内設するコミュニティ領域にて上記通信ネットワークを介して公開するとともに管理するコミュニティ管理手段と、上記通信ネットワークを介してアクセスしてくる端末機器の属性を判断する端末機器属性判断手段とを備えたクラウド型サーバと、
このクラウド型サーバに上記通信ネットワークを介してアクセスし所定の情報の送受信が可能であり且つ当該サーバを制御管理可能なウェブブラウザ機能を有する第二の端末機器と、
ウェブブラウザ機能を有し、上記クラウド型サーバに上記通信ネットワークを介してアクセスし上記コミュニティ管理手段により公開されたコミュニティ領域に対しリード／ライト可能な第三の端末機器と、
ウェブブラウザ機能を有し、上記クラウド型サーバに上記通信ネットワークを介してアクセスし所定の情報の送受信が可能であり、且つ上記第一の端末機器及び上記第三の端末機器に対して情報発信可能な第四の端末機器とを備えたコミュニティサービス提供方法にあって、
上記申込み確定判断手段が申込み確定判断を行うと、上記コミュニティ領域の利用を含めたウェディング招待に関する通知を作成して上記第三の端末機器側に対してウェディング招待通知を発信し、
このウェディング招待通知に基づいて上記第三の端末機器同士が上記コミュニティ領域にて情報のやり取りが可能となるよう制御管理し、
上記第一の端末機器、上記第二の端末機器、上記第三の端末機器及び上記第四の端末機器以外からの上記コミュニティ領域へのアクセスは拒否し、
上記コミュニティ領域に上記第三の端末機器によるライト処理が行われると当該ライト処理に関する情報が上記第一の端末機器及び上記第二の端末機器に通知され、
上記第一の端末機器及び上記第二の端末機器は上記ライト処理を制御管理可能とし、
ウェディングコミュニティサービス提供期間経過後は上記第一の端末機器、上記第三の端末機器及び上記第四の端末機器による上記コミュニティ領域へのアクセスを遮断し、
上記コミュニティ領域にて公開された上記プロフィール情報等を削除するようにしたことを特徴とするウェディングコミュニティサービス提供方法。
【請求項６】
ウェブブラウザ機能を有し上記クラウド型サーバに上記通信ネットワークを介してアクセスし所定の情報の送受信が可能な第五の端末機器を設け、
当該第五の端末機器は上記第一の端末機器及び上記第三の端末機器に対して情報発信できるようにしたことを特徴とする請求項５記載のウェディングコミュニティサービス提供方法。
【請求項７】
上記クラウド型サーバの運用管理手段は、
上記第一の端末機器及び上記第二の端末機器以外の端末機器からのアクセスがあった場合、当該端末機器が有するウェブブラウザを識別し、
当該サーバへのアクセスを拒否するようにしたことを特徴とする請求項５または請求項６記載のウェディングコミュニティサービス提供方法。
【請求項８】
上記ウェディングコミュニティサービス提供期間経過後に行われるプロフィール情報等の削除処理前に、当該プロフィール情報等を上記第一の端末機器側へ送出するようにしたことを特徴とする請求項５、請求項６または請求項７記載のウェディングコミュニティサービス提供方法。
【発明の詳細な説明】
【技術分野】
【０００１】
本発明は、コンピュータネットワークシステムを利用して行うウェディングコミュニティサービスの提供、特に結婚式に係るコミュニティサービスの向上及び利便性の向上に特化した期間限定のウェディングコミュニティサービス提供システム及びウェディングコミュニティサービス提供方法に関する。
【背景技術】
【０００２】
従来、ブライダル産業に於いてもＩＣＴ（情報通信技術）の活用が普及してきており、例えばウェブサイトによるウェディング情報の提供や、ウェディングの挙式プランを作成するに際し挙式予定者と式場運営者とがネットワークに接続された端末機器を介して情報のやり取りを行ってきているものがあった。
【０００３】
特開２０１３−１７８６５７号公報（下記特許文献１）には、新郎新婦と招待客及び式場スタッフ相互間のコミュニケーションを支援するシステムが開示されている。このシステムでは、新郎新婦の現状の報告や挨拶や二人の写真を見せることで、新郎新婦と招待客のコミュニケーションを取り易くなるようにしている。また、招待状メールや招待状カードを利用することで、招待客の返信の手間を省き、出欠の把握が容易になり、手間のかかる席次表を容易に作成することができるとともに、式場スタッフと情報共有でき双方のコミュニケーションを取り易くすることで、事前の準備や打合せの日時の調整等が取り易くなることを実現している。
【０００４】
また、特許第５３４２２６９号公報（下記特許文献２）には、コンピュータネットワークを介して挙式予定者や式場の運営者が、結婚式に必要な物品について発注漏れや発注期限を特別意識することなく、物品の発注を行うことのできるウェディングに関する技術が開示されている。即ち、挙式予定者や式場の運営者が発注期限に応じた的確なタイミングで打合せを行ったり、結婚式に必要な物品の発注を確実に行うことを実現している。
【先行技術文献】
【特許文献】
【０００５】
【特許文献１】特開２０１３−１７８６５７号公報
【特許文献２】特許第５３４２２６９号公報
【発明の開示】
【発明が解決しようとする課題】
【０００６】
近時、コンピュータネットワークを積極的に利用して新郎新婦や結婚式招待客をおもてなしできるようにしたり、招待客同士が事前にコミュニケーションを深めたり、或いは式場運営者が確実に結婚式場に来る招待客に対する情報発信が可能となるよう結婚式に特化した総合的なコミュニティサービスの実現が要望されている。加えて、ＩＣＴを利用するので、誰が利用しても安心安全なサービス提供が大前提となるものである。しかしながら、このような事情を考慮した結婚式に特化した総合的なコミュニティサービスの提供は、現状見当たらない。
特許文献１に開示されたシステムは、招待者の出欠の把握及び手間のかかる席次表作成を容易にするとともに、式場スタッフと情報共有でき、双方のコミュニケーションを取り易くして事前の準備や打合せの日時調整等を取り易くしたものに過ぎず、上述した総合的なコミュニティサービス提供を実現する概念は全くなく、示唆すらされていない。
また、特許文献２に開示されたものは、挙式予定者や式場の運営者が発注期限に応じた的確なタイミングで打合せを行ったり、結婚式に必要な物品の発注を確実に行うことをできるようにしたものに過ぎず、上述した総合的なコミュニティサービスの提供を実現する概念は全くなく、示唆すらされていない。
【０００７】
本発明は、上記事情を考慮してなされたもので、上述した不具合を解消し、クラウド型のコンピュータネットワークを積極的に利用して主催者たる新郎新婦や結婚式招待者をおもてなしできるようにするとともに、式場運営者が確実に結婚式場に来る招待者に対して情報の発信が可能となるような結婚式の総合的なコミュニティサービスを提供可能なウェディングコミュニティサービス提供システム及びウェディングコミュニティサービス提供方法を提供することを目的とする。
また、本発明は、セキュリティ面で優れた結婚式に特化した総合的なコミュニティサービスを期間限定で提供可能としたウェディングコミュニティサービス提供システム及びウェディングコミュニティサービス提供方法を提供することを目的とする。
【課題を解決するための手段】
【０００８】
本発明は、上記目的を達成するために以下の通りの構成とすることを特徴とする。
【０００９】
（１）  ウェブブラウザ機能を有し通信ネットワークを介して各種情報を送受信する第一の端末機器と、
システムの稼動状況及び各種制御処理・管理を行う運用管理手段と、この運用管理手段の管理下で上記第一の端末機器から送出されてくる申込み情報を受信し申込み処理を行う申込み処理手段と、この申込み処理手段の申込み情報に基づいて上記第一の端末機器からの申込み処理の確定可否を判断する申込み確定判断手段と、この申込み確定判断手段の申込み確定判断に基づいてプロフィール情報等の入力要求情報を上記第一の端末機器に送出し当該端末機器からのプロフィール情報等を公開情報として格納及び管理する公開情報管理手段と、この公開情報管理手段に格納された公開情報を内設するコミュニティ領域にて上記通信ネットワークを介して公開するとともに管理するコミュニティ管理手段と、上記通信ネットワークを介してアクセスしてくる端末機器の属性を判断する端末機器属性判断手段とを備えたクラウド型サーバと、
このクラウド型サーバに上記通信ネットワークを介してアクセスし所定の情報の送受信が可能であり且つ当該サーバを制御管理可能なウェブブラウザ機能を有する第二の端末機器と、
ウェブブラウザ機能を有し上記クラウド型サーバに上記通信ネットワークを介してアクセスし上記コミュニティ管理手段により公開されたコミュニティ領域に対しリード／ライト可能な第三の端末機器と、
ウェブブラウザ機能を有し上記クラウド型サーバに上記通信ネットワークを介してアクセスし所定の情報の送受信が可能であり且つ上記第一の端末機器及び上記第三の端末機器に対して情報発信可能な第四の端末機器とを具備するクラウド型ウェディングコミュニティサービス提供システムであって、
上記第一の端末機器は上記第三の端末機器により上記コミュニティ領域にライトされた情報を管理する管理手段を有し、上記第二の端末機器は上記第三の端末機器により上記コミュニティ領域にライトされた情報を管理する管理手段を有し且つ上記第一の端末機器及び上記第三の端末機器に対して情報のやり取りが可能であり、上記クラウド型サーバの端末機器属性判断手段は上記第一の端末機器と上記第二の端末機器と上記第三の端末機器及び上記第四の端末機器以外からのアクセスを拒否可能とするよう機能し、
上記クラウド型サーバの上記申込み確定判断手段が申込み確定判断を行うと、上記コミュニティ領域の利用を含めたウェディング招待に関する通知を作成して上記第三の端末機器側に対してウェディング招待通知を発信するウェディング招待通知管理手段と、このウェディング招待通知管理手段からの通知に基づいて上記第三の端末機器同士が上記コミュニティ領域にて情報のやり取りが可能となるよう制御管理する制御管理手段と、所定期間経過後は上記第一の端末機器及び上記第三の端末機器による上記コミュニティ領域へのアクセスを遮断するとともに当該コミュニティ領域にて公開された上記プロフィール情報等を削除するサービス終了手段とを設けたことを特徴とする構成とした。
【００１０】
（２）  上記構成にあって、ウェブブラウザ機能を有し、上記クラウド型サーバに上記通信ネットワークを介してアクセスし所定の情報の送受信が可能であり、且つ上記第一の端末機器及び上記第三の端末機器に対して情報発信可能な第五の端末機器を具備する構成とした。
【００１１】
（３）  上記（１）または（２）の構成にあって、上記クラウド型サーバの運用管理手段は上記第一の端末機器及び上記第二の端末機器以外の端末機器からのアクセスがあった場合、当該端末機器が有するウェブブラウザを識別して、当該サーバへのアクセスを拒否可能とするよう機能構成した。
【００１２】
（４）  上記（１）、（２）または（３）の構成にあって、上記サービス終了手段による上記プロフィール情報等の削除処理前に、当該プロフィール情報等を上記第一の端末機器側へ送出する手段を設けた構成とした。
【００１３】
（５）  ウェブブラウザ機能を有し通信ネットワークを介して各種情報を送受信する第一の端末機器と、
システムの稼動状況及び各種制御処理・管理を行う運用管理手段と、この運用管理手段の管理下で上記第一の端末機器から送出されてくる申込み情報を受信し申込み処理を行う申込み処理手段と、この申込み処理手段の申込み情報に基づいて上記第一の端末機器からの申込み処理の確定可否を判断する申込み確定判断手段と、この申込み確定判断手段の申込み確定判断に基づいてプロフィール情報等の入力要求情報を上記第一の端末機器に送出し当該端末機器からのプロフィール情報等を公開情報として格納及び管理する公開情報管理手段と、この公開情報管理手段に格納された公開情報を内設するコミュニティ領域にて上記通信ネットワークを介して公開するとともに管理するコミュニティ管理手段と、上記通信ネットワークを介してアクセスしてくる端末機器の属性を判断する端末機器属性判断手段とを備えたクラウド型サーバと、
このクラウド型サーバに上記通信ネットワークを介してアクセスし所定の情報の送受信が可能であり且つ当該サーバを制御管理可能なウェブブラウザ機能を有する第二の端末機器と、
ウェブブラウザ機能を有し、上記クラウド型サーバに上記通信ネットワークを介してアクセスし上記コミュニティ管理手段により公開されたコミュニティ領域に対しリード／ライト可能な第三の端末機器と、
ウェブブラウザ機能を有し、上記クラウド型サーバに上記通信ネットワークを介してアクセスし所定の情報の送受信が可能であり、且つ上記第一の端末機器及び上記第三の端末機器に対して情報発信可能な第四の端末機器とを備えたコミュニティサービス提供方法にあって、
上記申込み確定判断手段が申込み確定判断を行うと上記コミュニティ領域の利用を含めたウェディング招待に関する通知を作成して上記第三の端末機器側に対してウェディング招待通知を発信し、
このウェディング招待通知に基づいて上記第三の端末機器同士が上記コミュニティ領域にて情報のやり取りが可能となるよう制御管理し、
上記第一の端末機器、上記第二の端末機器、上記第三の端末機器及び上記第四の端末機器以外からの上記コミュニティ領域へのアクセスは拒否し、
上記コミュニティ領域に上記第三の端末機器によるライト処理が行われると当該ライト処理に関する情報が上記第一の端末機器及び上記第二の端末機器に通知され、
上記第一の端末機器及び上記第二の端末機器は上記ライト処理を制御管理可能とし、
ウェディングコミュニティサービス提供期間経過後は上記第一の端末機器、上記第三の端末機器及び上記第四の端末機器による上記コミュニティ領域へのアクセスを遮断し、
上記コミュニティ領域にて公開された上記プロフィール情報等を削除するようにしたことを特徴とする。
【００１４】
（６）  上記（５）の構成にあって、ウェブブラウザ機能を有し上記クラウド型サーバに上記通信ネットワークを介してアクセスし所定の情報の送受信が可能な第五の端末機器を設け、当該第五の端末機器は上記第一の端末機器及び上記第三の端末機器に対して情報発信できるようにしたことを特徴とする。
【００１５】
（７）  上記（５）または（６）の構成にあって、上記クラウド型サーバの運用管理手段は、上記第一の端末機器及び上記第二の端末機器以外の端末機器からのアクセスがあった場合当該端末機器が有するウェブブラウザを識別し、当該サーバへのアクセスを拒否するようにしたことを特徴とする。
【００１６】
（８）  上記（５）、（６）または（７）の構成にあって、上記ウェディングコミュニティサービス提供期間経過後に行われるプロフィール情報等の削除処理前に、当該プロフィール情報等を上記第一の端末機器側へ送出するようにしたことを特徴とする。
【発明の効果】
【００１７】
本発明によれば、限定的なアクセス許可によるコミュニティサービスの提供及び利用により、主催者、招待者及び式場運営者による情報発信、情報のやり取りを安心安全に行え、コミュニケーション深化が可能という優れた効果を奏する。
【００１８】
また、本発明によれば、限定的なサービスでありサービス期間終了後はコミュニティ領域のデータは削除されるので、安心安全でセキュリティ面での向上を図ることができ有用なものである。
さらに、コミュニティ領域を制御管理できるので、不都合な或いは不適切なライト処理に対する対応が可能となるという効果を奏する。
さらに、第一の端末機器及び第三の端末機器側に対して第四の端末機器や第五の端末機器が情報発信可能としたので、結婚式に関する種々の情報発信が可能となり、第一の端末機器及び第三の端末機器側にとっては利便性の高いサービスを受けることが可能となるものである。
【図面の簡単な説明】
【００１９】
【図１】本発明の一実施形態に係わるウェディングコミュニティサービス提供システムを概念的に示す図である。
【図２】同実施形態に係わり、クラウドサーバを概念的に示す図である。
【図３】同実施形態に係わり、主催者端末（第一の端末機器）を概念的に示す図である。
【図４】同実施形態に係わり、運営事務局端末（第二の端末機器）を概念的に示す図である。
【図５】同実施形態に係わり、招待者端末（第三の端末機器）を概念的に示す図である。
【図６】同実施形態に係わり、式場運営者端末（第四の端末機器）を概念的に示す図である。
【図７】同実施形態に係わり、広告主端末（第五の端末機器）を概念的に示す図である。
【図８】同実施形態に係わり、ウェディングコミュニティサービス提供全体の流れを示す図である。
【図９】同実施形態に係わり、申込み受付処理の流れを示す図である。
【図１０】同実施形態に係わり、申込み確定処理の流れを示す図である。
【図１１】同実施形態に係わり、公開情報入力管理処理の流れを示す図である。
【図１２】同実施形態に係わり、案内通知管理処理の流れを示す図である。
【図１３】同実施形態に係わり、コミュニティ運営管理処理の流れを示す図である。
【図１４】同実施形態に係わり、サービス終了処理の流れを示す図である。
【図１５】同実施形態に係わり、コミュニティ領域を利用するためにアクセスしてきた端末機器に表示出力される第一画面を模式的に示す図である。
【図１６】同実施形態に係わり、端末機器に表示出力される交流用の画面を模式的に示す図である。
【図１７】同実施形態に係わり、端末機器に表示出力される交流用のリード／ライト可能な画面を模式的に示す図である
【図１８】同実施形態に係わり、端末機器に表示出力されるプロフィール情報公開画面を模式的に示す図である。
【図１９】同実施形態に係わり、端末機器に表示出力される結婚式関連情報の紹介画面を模式的に示す図である。
【図２０】同実施形態の変形例に係わり、コミュニティ領域を利用するためにアクセスしてきた端末機器に表示出力される第一画面を模式的に示す図である。
【発明を実施するための形態】
【００２０】
以下本発明の一実施形態につき、図面を参照して説明する。
【００２１】
本実施形態に係わるウェディングコミュニティサービス提供システム１０は、図１に示すように、クラウド型のサーバコンピュータ（以下、クラウドサーバ）１００と、このクラウドサーバ１００とインターネット回線等の通信ネットワーク２００を介して接続される主催者端末３００（第一の端末機器）、運営事務局端末（第二の端末機器）４００、招待者端末（第三の端末機器）５００、式場運営者端末（第四の端末機器）６００及び広告主端末（第五の端末機器）７００とから構成される。
【００２２】
クラウドサーバ１００は、図２に示すように運用管理部１１０と申込み受付処理部１２０、申込み確定処理部１３０、公開情報入力管理部１４０、案内通知管理部１５０、コミュニティ運営管理処理部１６０及びサービス終了処理管理部１７０を内設している。そして、夫々が信号線１８０を介して接続されている。このクラウドサーバ１００は、セキュリティ対策として外部の特定の端末機器とはＩＥＴＦのＴＬＳ通信（例えばＳＳＬ通信）にて情報の送受信が行われる。即ち、主催者端末３００、運営事務局端末４００、招待者端末５００、式場運営者端末６００及び広告主端末７００がアクセスしてくると、ログイン時以後にＴＬＳ通信が行われる。
【００２３】
運用管理部１１０は、クラウドサーバ１００全体の制御処理を司る機能、及び通信ネットワーク２００を介してウェディングコミュニティサービスに関する各種コンテンツを提供する機能を有する。また、運用管理部１１０は、通信ネットワーク２００を介してアクセスしてくる端末機器の種類（属性）を判断する機能を有し、主催者端末３００、運営事務局端末４００、招待者端末５００、式場運営者端末６００及び広告主端末７００以外からのアクセスを拒否可能とするよう制御管理する機能を有する。
【００２４】
申込み受付処理部１２０は、通信ネットワーク２００を介してアクセスしてくる主催者端末３００からの本ウェディングコミュニティサービス利用に関する申込み情報を受信すると、当該申込み情報に関する受付け処理を行う機能を有する。即ち、主催者端末３００から送出されてくるサ−ビス利用の申込みや当該サービスの利用期間並びに当該サービス利用への対価の支払い方法等の情報を受信・確認し、当該確認結果に基いて主催者端末３００及び運営事務局端末２００へ受付完了情報を送出する機能を有する。
【００２５】
申込み確定処理部１３０は、所定期間内に主催者端末３００側からの本ウェディングコミュニティサービス利用に関する入金処理の有無を通信ネットワーク２００を介して確認する機能を有する。申込み確定処理部１３０は、主催者端末３００側からの入金処理を確認すると、入金確認通知情報を運営事務局端末５００から主催者端末３００へ送出するよう機能構成されている。
【００２６】
公開情報入力管理部１４０は、申込み確定処理部１３０の申込み確定判断に基づいてプロフィール情報等の入力要求情報を主催者端末３００に送出するよう構成されている。この入力要求情報の主催者端末３００への送出は、公開情報入力管理部１４０が運営事務局端末５００から送出させるよう構成してもよい。また、公開情報入力管理部１４０は、送出した当該入力要求情報に対する主催者端末３００からのプロフィール情報等の返信情報を公開情報として内設するメモリ１４２の所定領域に格納・管理するよう機能構成されている。
なお、メモリ１４２に格納・管理される公開情報としては、例えば次のようなものである。
・基本情報（結婚式に係る情報、新郎新婦のプロフィール情報等）
・コミュニティサービスのトップ画面のレイアウト（テンプレート選択）
・広告掲載及び広告アイコンの選択
【００２７】
案内通知管理部１５０は、申込み確定処理部１３０が主催者端末３００側からの入金処理を確認した後、ウェディングコミュニティ利用通知を作成し、主催者端末３００側に送出するよう機能構成されている。このウェディングコミュニティ利用通知には、内設する疑似乱数作成機能から作成される乱数ＵＲＬ及びこのＵＲＬに対応して自動作成されるマトリックス型二次元コード（例えばＱＲコード（登録商標））が付与されるものとする。このＵＲＬは、公開されるコミュニティ領域１６２へのアクセス用のものである。なお、このウェディングコミュニティ利用通知の主催者端末３００への送出は、案内通知管理部１５０が運営事務局端末５００から送出させるよう構成してもよい。また、ウェディングコミュニティ利用通知には、ログインパスワードがあわせて付与されるものとする。なお、このログインパスワードは乱数で作成されたものであり、主催者端末３００側にて任意に決定するようにしてもよい。さらに、ウェディングコミュニティ利用通知には、必要に応じてＡＲ（ＡＵＧＭＥＮＴＥＤ  ＲＥＡＬＩＴＹ：拡張現実）機能を付与してもよい。ＡＲ機能を付与することにより、例えば視覚的な情報の追加というだけではなく、音声による聴覚的な情報提供も可能となる。
【００２８】
コミュニティ運営管理処理部１６０は、公開情報入力管理部１４０に格納された公開情報を内設するコミュニティ領域１６２にて通信ネットワーク２００を介して公開し、管理するよう機能構成されている。また、コミュニティ運営管理処理部１６０は、招待者端末５００同士がコミュニティ領域１６２にて情報のやり取りが可能となるよう制御管理し、コミュニティ領域１６２に対し招待者端末５００からの書込み（ライト処理）があった場合、当該書込みがあった旨を招待者端末３００と運営事務局端末４００に通知する機能を有する。
【００２９】
サービス終了処理管理部１７０は、本ウェディングコミュニティサービス利用期間を過ぎると、主催者端末３００、招待者端末５００、式場運営者端末６００及び広告主端末７００によるコミュニティ領域１６２へのアクセスを遮断するよう構成されている。また、サービス終了処理管理部１７０は、コミュニティ領域１６２にて公開されたプロフィール情報等を所定のデータ形式（例えばＰＤＦ形式）に変換してクラウドサーバ１００以外の他の記録媒体に移し、他の記録媒体に移した後はコミュニティ領域１６２にて公開されたプロフィール情報等を削除するよう機能構成されている。同時にメモリ１４２に格納された対応する情報も削除するよう機能構成されている。なお、他の記録媒体に移されたデータは、主催者端末３００側に送出されるよう構成されている。
【００３０】
主催者端末３００は、本ウェディングコミュニティサービスを利用申込みする側の端末、即ち新郎新婦側の端末機器であり、図３に示すように当該端末３００全体の制御管理を司る制御部３１０と通信ネットワーク２００を介して外部との信号の送受信を行うとともに所望の情報を出力表示する等の機能を有する入出力部３２０、クラウドサーバ１００から送出されてくる情報を受信し入出力部３２０に表示出力させるウェブブラウザ機能部３３０及び各種情報を格納するメモリ３４０が信号線３５０を介して夫々が接続されるよう構成されている。この主催者端末３００は、例えばパーソナルコンピュータ（ＰＣ）やタブレット式端末、スマートフォン或いは携帯電話を想定している。また、主催者端末３００は、クラウドサーバ１００及び当該サーバ１００を介しての他の端末との情報の送受信は、前述したＴＬＳ通信にて行われる。
【００３１】
運営事務局端末４００は、本ウェディングコミュニティサービスを運営管理する側の端末であり、図４に示すように当該端末４００全体の制御管理を司る制御部４１０と通信ネットワーク２００を介して外部との信号の送受信を行うとともに所望の情報を出力表示する等の機能を有する入出力部４２０、クラウドサーバ１００から送出されてくる情報を受信し入出力部４２０に表示出力させるウェブブラウザ機能部４３０及び各種情報を格納するメモリ４４０が信号線４５０を介して夫々が接続されるよう構成されている。この運営事務局端末４００は、例えばＰＣやサーバコンピュータを想定している。また、運営事務局端末４００は、クラウドサーバ１００及び当該サーバ１００を介しての他の端末との情報の送受信は、前述したＴＬＳ通信にて行われる。
【００３２】
招待者端末５００は、コミュニティ領域１６２を含むウェディングコミュニティを利用する側の端末、即ち新郎新婦の親族や関係者・同僚等の結婚式招待者側の端末機器であり、図５に示すように当該端末５００全体の制御管理を司る制御部５１０と通信ネットワーク２００を介して外部との信号の送受信を行うとともに所望の情報を出力表示する等の機能を有する入出力部５２０、クラウドサーバ１００から送出されてくる情報を受信し入出力部５２０に表示出力させるウェブブラウザ機能部５３０及び各種情報を格納するメモリ５４０が信号線５５０を介して夫々が接続されるよう構成されている。この招待者端末５００は、例えばスマートフォンや携帯電話を想定しており、ＰＣは想定外とする。また、招待者端末５００は、クラウドサーバ１００及び当該サーバ１００を介しての他の端末との情報の送受信は前述したＴＬＳ通信にて行われる。
【００３３】
式場運営者端末６００は、主催者端末３００側が利用する結婚式場の運営者側の端末であり、図６に示すように当該端末６００全体の制御管理を司る制御部６１０と通信ネットワーク２００を介して外部との信号の送受信を行うとともに所望の情報を出力表示する等の機能を有する入出力部６２０、クラウドサーバ１００から送出されてくる情報を受信し入出力部６２０に表示出力させるウェブブラウザ機能部６３０及び各種情報を格納するメモリ６４０が信号線６５０を介して夫々が接続されるよう構成されている。この式場運営者端末６００は、ＰＣを想定している。また、式場運営者端末６００は、クラウドサーバ１００及び当該サーバ１００を介しての他の端末との情報の送受信は、前述したＴＬＳ通信にて行われる。
式場運営者端末６００は、特に、例えば付与された専用のＵＲＬにて第一の端末機器３００及び第三の端末機器５００に対して、結婚式に係る各種サービス情報を適宜提供及び更新可能とするとともに、当該端末機器３００、５００からの要望情報に対する応答情報を送出可能とするものである。
【００３４】
広告主端末７００は、本ウェディングコミュニティを利用する端末に対して各種広告情報を配信する広告主側の端末であり、図７に示すように当該端末７００全体の制御管理を司る制御部７１０と通信ネットワーク２００を介して外部との信号の送受信を行うとともに所望の情報を出力表示する等の機能を有する入出力部７２０、クラウドサーバ１００から送出されてくる情報を受信し入出力部７２０に表示出力させるウェブブラウザ機能部７３０及び各種情報を格納するメモリ７４０が信号線７５０を介して夫々が接続されるよう構成されている。この広告主端末７００は、ＰＣやサーバコンピュータを想定している。また、広告主端末７００は、クラウドサーバ１００及び当該サーバ１００を介しての他の端末との情報の送受信は、前述したＴＬＳ通信にて行われる。
【００３５】
上記構成につき、その作用を以下に図を参照して説明する。
【００３６】
先ず、本ウェディングコミュニティサービス全体の流れについて、図８を参照して説明する。
主催者端末３００が通信ネットワーク２００を介してクラウドサーバ１００が提供するウェディングコミュニティサービス情報にアクセスしてくると、主催者端末３００の入出力部３２０にはウェブブラウザ機能部３３０を介してウェディングコミュニティサービス情報のコンテンツが出力表示される。出力表示された中から、主催者端末３００がウェディングコミュニティサービスの利用申込みの情報を送出すると、クラウドサーバ１００は申込み受付処理部１２０にて申込み受付処理を行う（ステップＳ８０２）。この後、主催者端末３００による申込み確定の情報が送出されてくると、クラウドサーバ１００は申込み確定処理部１３０にてウェディングコミュニティサービス利用の確定処理を行う（ステップＳ８０４）。確定処理が行われると、主催者端末３００から送出されてくるプロフィール情報等の公開情報をメモリ１４２の所定領域に格納管理する（ステップＳ８０６）。また、確定処理が行われると、クラウドサーバ１００は案内通知管理部１５０にてウェディングコミュニティ利用通知を作成し、当該通知を主催者端末３００側に送出し、主催者端末３００は所望の招待者端末５００に当該通知を配信することになる（ステップＳ８０８）。
而して、クラウドサーバ１００のコミュニティ運営管理処理部１６０は、公開情報入力管理部１４０に格納された公開情報をコミュニティ領域１６２にて通信ネットワーク２００を介して公開し、管理することになる。また、コミュニティ運営管理処理部１６０は、招待者端末５００同士がコミュニティ領域１６２にて情報のやり取りが可能となるよう制御管理し、コミュニティ領域１６２に対し招待者端末５００からの書込みがあった場合、当該書込みがあった旨を主催者端末３００と運営事務局端末４００に通知することになる（ステップＳ８１０）。
ウェディングコミュニティサービス利用期間が経過すると、主催者端末３００、招待者端末５００、式場運営者端末６００及び広告主端末７００によるコミュニティ領域１６２へのアクセス遮断及び他の記録媒体へのデータ移植と削除のサービス終了処理が行われる（ステップＳ８１２）。
【００３７】
ここで、上記ステップＳ８０２の申込み受付処理について、図９を参照して詳述する。
主催者端末３００から通信ネットワーク２００を介してクラウドサーバ１００にアクセスがあり（ステップＳ９０２）、当該アクセスがウェディングコミュニティサービス利用の申込みの場合（ステップＳ９０４のＹ）、申込み受付処理部１２０は主催者端末３００に対して、利用するサ−ビスの種類や当該サービスの利用期間並びに当該サービス利用にともなう主催者端末３００側の情報及び当該サービス利用への対価の支払い方法等の情報を入力要求する。この入力要求に対して主催者端末３００は、利用するサ−ビスの種類、期間や当該サービス利用にともなう主催者端末３００側の情報及び当該サービス利用への対価の支払い方法等の情報を作成し（ステップＳ９０６、ステップＳ９０８）、確認した後返信する（ステップＳ９１０のＹ）。申込み受付処理部１２０は当該返信情報を受信すると、受付完了通知を主催者端末３００と運営事務局端末４００に対して送出する（ステップＳ９１２）。
この通知により、主催者端末３００側は受付が完了したことを確認でき、運営事務局端末４００側は、あらたなウェディングコミュニティサービス利用申込みがあったことを認識できるものである。
【００３８】
次に、上記ステップＳ８０４の申込み確定処理について、図１０を参照して詳述する。
申込み確定処理部１３０は、所定期間内に主催者端末３００側から利用するウェディングコミュニティサービスに関する入金情報を確認すると（ステップＳ１００２のＹ）、運営事務局端末４００に当該入金情報を通知し、運営事務局端末４００から主催者端末３００に対して入金確認通知を発信する（ステップＳ１００４）。而して、主催者端末３００専用の領域がメモリ１４２に用意されるとともに専用のコミュニティ領域１６２が用意され、主催者端末３００による利用が可能となるものである。
【００３９】
続いて、上記ステップＳ８０６の公開情報管理処理について、図１１を参照して詳述する。
公開情報入力管理部１４０は、申込み確定処理部１３０の申込み確定判断に基づいてプロフィール情報等の入力要求情報を主催者端末３００に送出する。主催者端末３００がこの公開情報の入力要求に応じた返信をしてくると（ステップＳ１１０２、ステップＳ１１０４のＹ）、公開情報入力管理部１４０は、主催者端末３００からのプロフィール情報等の返信情報を公開情報としてメモリ１４２の所定領域に格納・管理することになる（ステップＳ１１０６）。
【００４０】
さらに、上記ステップＳ８０８の案内通知管理処理について、図１２を参照して詳述する。
案内通知管理部１５０は、申込み確定処理部１３０が主催者端末３００側からの入金処理を確認した後、ウェディングコミュニティ利用通知を作成し、主催者端末３００側に送出する。即ち、このウェディングコミュニティ利用通知の作成では、内設する疑似乱数作成機能から作成される乱数ＵＲＬとこのＵＲＬに対応して自動作成されるマトリックス型二次元コードが付与されるとともに、ログインパスワードが付与される（ステップＳ１２０２）。作成されたウェディングコミュニティ利用通知は、主催者端末３００側にて任意の配信先が選択される（ステップＳ１２０４）。そして、選択された配信先、即ち招待者端末５００に対してウェディングコミュニティ利用通知が発信される（ステップＳ１２０６）。
【００４１】
さらに、上記ステップＳ８１０のコミュニティ運営管理処理について、図１３を参照して詳述する。
専用のＵＲＬにより公開情報が公開されるコミュニティ領域１６２に端末機器がアクセスしてくると（ステップＳ１３０２のＹ）、ログインパスワード入力要求の認証処理が行われるとともに、運用管理部１１０は以下の（ａ）〜（ｆ）に示すアクセス許可判断基準にて当該端末機器の種類（属性）を判断する（ステップＳ１３０４）。
（ａ）主催者端末：ＰＣ、タブレット式端末、スマートフォン、携帯電話
（ｂ）運営事務局端末：ＰＣ、サーバコンピュータ
（ｃ）招待者端末：スマートフォン、携帯電話
（ｄ）式場運営者端末：ＰＣ
（ｅ）広告主端末：ＰＣ、サーバコンピュータ
（ｆ）上記以外の端末：一切アクセス不許可
アクセス許可と判断すると（ステップＳ１３０４のＹ）、当該端末機器はコミュニティ領域１６２にてリード／ライト可能となる。なお、必要に応じて式場運営者端末６００及び広告主端末７００のライト機能のみを制限したり、或いはリード／ライト機能を制限してもよい。而して、招待者端末５００同士がコミュニティ領域１６２を介して情報のやり取りが可能となる。また、招待者端末５００による書込みが行われると（ステップＳ１３０６のＹ）、当該書込みがあった旨を招待者端末３００と運営事務局端末４００に通知する処理が行われる（ステップＳ１３０８）。この書込みについては、予め不適切なもの或いは不都合なものとして規定されているものについては、運営事務局端末４００にて削除等の処理が可能である。招待者端末３００側では、書込みについて任意に削除等の処理が可能である（ステップＳ１３１０）。
【００４２】
さらに、上記ステップＳ８１２のサービス終了処理について、図１４を参照して詳述する。
サービス終了処理管理部１７０は、主催者端末３００がサービス申込み時に選択指定したウェディングコミュニティサービス利用期間を過ぎると（ステップＳ１４０２のＹ）、主催者端末３００、招待者端末５００、式場運営者端末６００及び広告主端末７００によるコミュニティ領域１６２へのアクセスを遮断する（ステップＳ１４０４）。また、サービス終了処理管理部１７０は、コミュニティ領域１６２にて公開されたプロフィール情報等を所定のデータ形式に変換してクラウドサーバ１００以外の他の記録媒体に移し、当該記録媒体を主催者端末３００側に送出する（ステップＳ１４０６）。而して、サービス終了処理管理部１７０は、コミュニティ領域１６２にて公開されたプロフィール情報及びメモリ１４２に格納された対応する情報等一切を削除する（ステップＳ１４０８）。
【００４３】
上記構成及び作用につき、端末機器側にて出力表示される画面について、図１５乃至図１９を参照して以下に説明する。
【００４４】
図１５は、本ウェディングコミュニティ利用のためにアクセスしてきた端末機器、特に主催者端末３００と招待者端末５００の入出力部３２０、５２０に出力表示される第一画面を示すものである。招待者端末５００側へのおもてなしを意識した内容のトップ画面であり、主催者端末３００側のみが自由にロゴや文書作成可能な画面である。また、トップ画面の下方には、第二画面に選択的に移動可能なアイコンａ，ｂ，ｃが用意されている。ここでは、招待者端末５００を例にして説明する。
【００４５】
図１６及び図１７は、トップ画面にてアイコン「コミュニティパーク」ａが選択された場合に表示される招待者端末５００の交流用の画面である。特に、図１７は、招待者端末５００がリード／ライト可能な交流用の画面である。この画面は所謂コミュニティパークとして機能し、予め４つのコメントＢＯＸ（アイコンｄ，ｅ，ｆ，ｇ）があり（図１６参照）、所望のＢＯＸを選択すると夫々の話題毎に招待者端末５００が例えばＥ−ＭＡＩＬを利用した交流を可能とした画面に移行するものである。例えば「新婦側ＢＯＸ」ｆを選択すると、図１７の示す新婦側に関するコミュニティパークに移行する。所望の移行した領域では、広告主端末７００も例えばテキスト形式にて広告情報を表示させることが可能である。なお、不適切或いは不都合なコメントは、招待者端末３００または運営事務局端末４００により削除可能である。
【００４６】
図１８は、トップ画面にてアイコン「プロフィール」ｂが選択された場合に表示される招待者端末３００により入力されたプロフィール情報が公開される画面である。この画面では、例えば主催者端末３００が決めた１００の答えとして５０問の回答を１日毎に公開するよう構成されている。
【００４７】
図１９は、トップ画面にてアイコン「お知らせ」ｃが選択された場合に表示される結婚式関連の情報を紹介するための画面である。この画面では、運営事務局端末４００の管理下で例えば結婚式の開催情報や結婚式参加者にとってお得なお知らせ等が紹介表示されるものである。
【００４８】
なお、各画面の所定領域には、結婚式当日までの日数をカウトダウン的に表示する領域ｈが設けられているとともに、主催者端末３００または運営事務局端末４００により広告用アイコンを選択的に表示可能としている領域ｉが設けられている。
【００４９】
上記実施形態によれば、利用端末や利用期間、利用形態を限定的にすることで、安全且つ安心なウェディングコミュニティサービスを提供でき、主催者側、招待者側及び式場運営者側による情報発信、情報のやり取りが活発化し、コミュニケーションの深化を図れるという優れた効果を奏する。また、サービス期間終了後はコミュニティ領域のデータを削除可能としたので、セキュリティ面での向上を図ることができるものである。削除対象となるデータは、主催者端末３００側には送出されるので、思い出として残すことができ有用なものである。
さらに、コミュニティ領域での不都合な或いは不適切なライト処理に対する対応を可能としてあるので、サービス利用者が不快になる虞を低減でき有用なものである。
従来は結婚式当日までは結婚式参加者同士の交流は困難であったため、本サービスで事前に交流を深めることにより、形式的になりがちであった式そのものを有意義なものに進化させることができるものである。
また、式場運営者端末６００や広告主端末７００から種々の情報提供を可能としたので、主催者端末３００及び招待者端末５００側にとって、利便性の高いサービスを受けることが可能となるものである。
【００５０】
例えば、図２０は上記実施形態の変形例を示すコミュニティ領域１６２を利用するためにアクセスしてきた端末機器に表示出力されるトップ画面を示すものであり、同一部分及び同一機能については同一符号を付与して説明は省略する。
この変形例では、コミュニティ領域１６２に主催者端末３００側からの動画及び音声による各種メッセージ情報が公開されるよう構成してある。これは、アイコン「新郎新婦メッセージ」ｊをクリックすることにより実現するよう構成されている。
さらに、引出物に関する案内情報を公開するよう構成してある。これは、招待者端末５００側にてアイコン「引出物のご案内ページ」ｋをクリックすることにより引出物の紹介画面（引出物用のコンテンツ）が表示されるよう構成してあるので、当該表示画面から所望のものを見つけたり或いは仮予約等選択して、結婚式当日に例えば名札や席次表のようなものでパスワードを通知して結婚式以降にあらためてコミュニティ領域１６２から所望のものを選択申込み可能としてある。また、コミュニティ領域１６２のサービス利用を開始してから結婚式前の一定期間内であれば、所望の引出物を選択可能とし、結婚式当日に当該引出物が用意され、申込み当事者が持ち帰ることを可能とするよう構成してもよい。
【００５１】
なお、本発明は上記実施形態に限定されるものではなく、本発明の要旨を逸脱しない限り種々の変形が可能なことは勿論である。
【符号の説明】
【００５２】
１０      ウェディングコミュニティサービス提供システム
１００    クラウドサーバ
１２０    申込み受付処理部
１３０    申込み確定処理部
１４０    公開情報入力管理部
１５０    案内通知管理部
１６０    コミュニティ運営管理処理部
１６２    コミュニティ領域
１７０    サービス終了処理管理部
２００    通信ネットワーク
３００    主催者端末（第一の端末機器）
４００    運営事務局端末（第二の端末機器）
５００    招待者端末（第三の端末機器）
６００    式場運営者端末（第四の端末機器）
７００    広告主端末（第五の端末機器）
【図１】
2015141637.tif 000003
【図２】
2015141637.tif 000004
【図３】
2015141637.tif 000005
【図４】
2015141637.tif 000006
【図５】
2015141637.tif 000007
【図６】
2015141637.tif 000008
【図７】
2015141637.tif 000009
【図８】
2015141637.tif 000010
【図９】
2015141637.tif 000011
【図１０】
2015141637.tif 000012
【図１１】
2015141637.tif 000013
【図１２】
2015141637.tif 000014
【図１３】
2015141637.tif 000015
【図１４】
2015141637.tif 000016
【図１５】
2015141637.tif 000017
【図１６】
2015141637.tif 000018
【図１７】
2015141637.tif 000019
【図１８】
2015141637.tif 000020
【図１９】
2015141637.tif 000021
【図２０】
2015141637.tif 000022